(57)【要約】【課題】写真プリントするために撮影した画像を無線通信するデジタルカメラにおいて、送信元を識別するための識別情報の設定を簡単にできるようにする。【解決手段】画像と識別コードとを無線通信することが可能なデジタルカメラに対して、送信元を識別するための識別コードを設定する場合には、デジタルカメラ５０とパソコン５２とをＵＳＢケーブル等の通信ケーブル５４で接続し、パソコン５２からデジタルカメラ５０に識別コードを設定する。【選択図】  図８
2006295952.tif 000002
【特許請求の範囲】
【請求項１】
撮像手段と、
前記撮像手段で撮像した画像を確認する表示手段と、
前記撮像手段で撮像した画像を無線で転送する通信手段と、
送信元を識別するための識別コードを設定する設定手段と、を備え、
前記設定手段に設定される識別コードは、外部機器と接続された通信ケーブルを介して前記外部機器によって設定されることを特徴とするデジタルカメラ。
【請求項２】
前記通信手段は、写真をプリントするために前記撮像手段で撮像した画像とともに、前記設定手段に設定された識別コードを送信することを特徴とする請求項１に記載のデジタルカメラ。
【請求項３】
画像送信キーを備え、前記通信手段は、前記表示手段に画像が表示されている状態で前記画像送信キーが押されると、前記表示手段に表示されている画像と前記識別コードとを送信することを特徴とする請求項２に記載のデジタルカメラ。
【請求項４】
キャンセル／電源スイッチキーを備え、電源がオフのときにキャンセル／電源スイッチキーが押されると、電源がオンされ、前記表示手段に画像が表示されている状態で前記キャンセル／電源スイッチキーが押されると、画像の送信がキャンセルされることを特徴とする請求項１乃至３のいずれかに記載のデジタルカメラ。
【請求項５】
前記通信手段は、ブルートゥース（Bluetooth）規格、又はＩｒＤＡ規格の無線通信を行うことを特徴とする請求項１乃至４のいずれかに記載のデジタルカメラ。
【請求項６】
画像と識別コードとを無線通信することが可能なデジタルカメラにおける識別コードの設定方法において、
前記デジタルカメラを通信ケーブルによって外部機器と接続し、
前記外部機器から通信ケーブルを介して前記デジタルカメラに識別コードを設定することを特徴とする識別コードの設定方法。
【発明の詳細な説明】
【技術分野】
【０００１】
本発明はデジタルカメラ及び識別コードの設定方法に係り、特に撮影した画像を無線で送信することが可能なデジタルカメラ及び識別コードの設定方法に関する。
【背景技術】
【０００２】
従来、デジタルカメラは、撮影した画像を記録メディア（スマートメディア等）に記録し、その画像を写真プリントする場合には、記録メディアごと写真店（ＦＤＩサービス）などに持っていきプリント注文する必要があった。また、特許文献１には、記録メディアを介さずに電話器を使用して外部に画像データを転送できるようにしたものが記載されており、送信先を選択又は設定して画像データを送信する。
【特許文献１】特開平１０−６５８８９号公報
【発明の開示】
【発明が解決しようとする課題】
【０００３】
このようにデジタルカメラで撮影した画像を写真プリントする場合、写真店に記録メディアをもっていって注文したり、パソコンから電子メールで画像データを写真店に送信して注文したりする必要があるため、撮影してから写真が出来上がるまで時間がかかり、また、煩雑な手間を要するという欠点があった。
【０００４】
また、従来のデジタルカメラは、記録メディアを装着するスロット、撮影した画像を記録メディアに書込みする回路、様々な撮影モードを設定するための回路及び操作スイッチ等により複雑な構成となっており、小型／軽量化、低コスト化、操作性（使いやすさ）の点で問題があった。
【０００５】
本発明はこのような事情に鑑みてなされたもので、写真プリントするために撮影した画像を無線通信するデジタルカメラにおいて、送信元を識別するための識別コードの設定が容易なデジタルカメラ及び識別コードの設定方法を提供することを目的とする。
【課題を解決するための手段】
【０００６】
前記目的を達成するために請求項１に係るデジタルカメラは、撮像手段と、前記撮像手段で撮像した画像を確認する表示手段と、前記撮像手段で撮像した画像を無線で転送する通信手段と、送信元を識別するための識別コードを設定する設定手段と、を備え、前記設定手段に設定される識別コードは、外部機器と接続された通信ケーブルを介して前記外部機器によって設定されることを特徴としている。
【０００７】
即ち、デジタルカメラとパソコン等の外部機器とを通信ケーブル（ＵＳＢケーブル）で接続し、外部機器から送信元を識別するための識別コードを設定できるようにしている。
【０００８】
請求項２に示すように請求項１に記載のデジタルカメラにおいて、前記通信手段は、写真をプリントするために前記撮像手段で撮像した画像とともに、前記設定手段に設定された識別コードを送信することを特徴としている。
【０００９】
請求項３に示すように請求項２に記載のデジタルカメラにおいて、画像送信キーを備え、前記通信手段は、前記表示手段に画像が表示されている状態で前記画像送信キーが押されると、前記表示手段に表示されている画像と前記識別コードとを送信することを特徴としている。これにより、簡単な操作で画像を送信することができる。
【００１０】
請求項４に示すように請求項１乃至３のいずれかに記載のデジタルカメラにおいて、キャンセル／電源スイッチキーを備え、電源がオフのときにキャンセル／電源スイッチキーが押されると、電源がオンされ、前記表示手段に画像が表示されている状態で前記キャンセル／電源スイッチキーが押されると、画像の送信がキャンセルされることを特徴としている。
【００１１】
請求項５に示すように請求項１乃至４のいずれかに記載のデジタルカメラにおいて、前記通信手段は、ブルートゥース（Bluetooth）規格、又はＩｒＤＡ規格の無線通信を行うことを特徴としている。
【００１２】
請求項６に係る発明は、画像と識別コードとを無線通信することが可能なデジタルカメラにおける識別コードの設定方法において、前記デジタルカメラを通信ケーブルによって外部機器と接続し、前記外部機器から通信ケーブルを介して前記デジタルカメラに識別コードを設定することを特徴としている。
【発明の効果】
【００１３】
本発明によれば、パソコン等の外部機器とデジタルカメラとをＵＳＢケーブル等の通信ケーブルにより接続し、外部機器から送信元を識別するための識別コードを設定するようにしたため、識別コードの設定を簡単に行うことができる。
【発明を実施するための最良の形態】
【００１４】
以下添付図面に従って本発明に係るデジタルカメラ及び識別コードの設定方法の好ましい実施の形態について詳説する。
【００１５】
図１は、本発明に係るデジタルカメラ及び識別コードの設定方法が適用される写真サービスシステムの構成を示したブロック図である。本システムは、例えばディズニーランドのようなテーマパーク、結婚式場等の限られた領域（施設）内で使用するシステムであり、以下、テーマパークで本システムを使用する場合を例に説明すると、同図に示すシステムは、テーマパークの入場者に有料又は無料で貸し出されるデジタルカメラ１と、テーマパークの敷地内の各所に配置される基地局２、２、…と、テーマパーク内の所定の場所に設置される写真サービスセンタ７とから構成される。
【００１６】
上記デジタルカメラ１は、同種のものを複数のユーザに貸し出しできるように複数用意されており、各デジタルカメラ１には、撮影した画像を無線により上記基地局２に送信するための通信機能が搭載されている。また、各デジタルカメラ１には、カメラ又はユーザを識別するための識別コード（ＩＤ）が割り当てられ、デジタルカメラ１に内蔵のメモリにその識別コードが記憶されている。尚、本実施の形態において識別コードは、貸し出す各デジタルカメラ１のそれぞれに予め異なる番号が書き換え不能な状態でメモリ（ＲＯＭ）に記憶されているものとする。ただし、デジタルカメラ１をユーザに貸し出す際に任意の番号を登録できるようにしてもよい。
【００１７】
テーマパークの入場者（以下、ユーザ）は、所定の場所（写真サービスセンタ７等）で上記デジタルカメラ１を借り、そのデジタルカメラ１で撮影を行うと、後述のように撮影した画像を送信するか否かの選択を行うことができ、もし、撮影した画像の写真をプリントしたい場合には、画像の送信を選択する。これにより、デジタルカメラ１から送信した画像データが、無線により近くの基地局２で受信され、基地局２から写真サービスセンタ７に転送される。そして、後述のように写真サービスセンタ７で送信した画像が写真プリントされる。即ち、ユーザは、撮影した画像を送信するといった簡便な操作を行うだけで写真プリントを注文することができる。
【００１８】
上記画像の送信の選択は、１コマの画像を撮影する毎に行うようになっており、デジタルカメラ１は、画像の送信が選択された場合には、その直前に撮影された１コマ分の画像データにデジタルカメラ１に登録されている識別コード等の所要のデータを添付して１つの画像ファイルを生成し、その画像ファイルを送信する。画像ファイルは図２に示すように、スタートコード、識別コード（ＩＤ）、所有者コード、撮影日時、画像データ、エンドコードから構成される。
【００１９】
ところで、従来のデジタルカメラは、撮影した画像を着脱自在の記録メディアに保存するようにしているが、この記録メディアの装着スロットに大きなスペースをとり、しかも記録メディアは高価であった。しかし、本システムで使用されるデジタルカメラ１は、通信機能により、撮影した画像をすぐに写真サービスセンタ７に転送することができるため、記録メディアを不要にすることができ、小型／軽量化、低コスト化を図ることができる。また、残りの撮影枚数などを気にする必要がなく、しかも撮影画素数を常に最大にしておくことができる。
【００２０】
上記基地局２、２、…は、上記デジタルカメラ１と無線により通信を行い、デジタルカメラ１から送信された画像ファイルを受信するもので、テーマパークの敷地内であれば任意の場所においてデジタルカメラ１から送信されたデータをいずれかの基地局２で受信可能なように配置される。尚、予め決められた場所でデジタルカメラ１から送信されたデータを受信可能なように各基地局２、２、…を配置し、デジタルカメラ１で撮影した画像の送信はその予め決められた場所で行ってもらうようにしてもよい。
【００２１】
また、デジタルカメラ１と各基地局２との間での無線通信は、近距離無線通信の規格として知られているBluetooth により行うのが好適と考えられるが、これに限らずIrDA等他の規格でも当然可能である。更に、デジタルカメラ１と各基地局２との間は無線通信に限らず、有線であってもよく、所定の場所にデジタルカメラ１とケーブルにより接続可能な通信端末を配置し、デジタルカメラ１から送信されたデータをその通信端末で受信するようにしてもよい。
【００２２】
上記写真サービスセンタ７は、デジタルカメラ１から基地局２を介して送信された画像データ（画像ファイル）に基づき写真をプリントしユーザに受け渡す施設であり、テーマパーク内の所定の場所に設置される。また、この写真サービスセンタ７ではデジタルカメラ１の貸し出しや返却も併せて行われる。尚、デジタルカメラ１の貸し出しや返却は他の施設で行うようにしてもよい。
【００２３】
写真サービスセンタ７には図１に示すように画像処理部３が配置され、画像処理部３は、各基地局２におけるデジタルカメラ１との通信を制御すると共に、各基地局２で受信された画像ファイルを収集する。そして、収集した画像ファイルの画像データに基づき写真をプリントし（ブロック４）、その写真を画像データと共に受信した識別コードに基づきユーザ毎に仕分けする（ブロック５）。従って、同一のユーザが異なる時間、異なる場所でデジタルカメラ１から送信した画像の写真は、ユーザが写真を受け取りに来るまで１箇所に纏めて保管される。尚、写真の仕分けは、識別コードに基づき自動的に行うようにしてもよいし、各写真の裏面等に識別コードをプリントするようにして、そのプリントされた識別コードを基に人が仕分けするようにしてもよい。
【００２４】
そして、ユーザがテーマパークを退場する際等に写真サービスセンタ７にデジタルカメラ１を返却しにきたときには、そのユーザが使用していたデジタルカメラ１の識別コードを確認し、その識別コードにより仕分けされた写真をユーザに渡す（ブロック６）。
【００２５】
上記写真サービスセンタ７でプリントされる写真例を図３に示すと、同図に示すように写真には撮影された画像がプリントされる他、写真のフレーム部分に、例えば撮影日、テーマパークの名前、ユーザの名前（イニシャル）等の写真情報がプリントされる。これらの写真のフレーム部分にプリントされる写真情報は、図２に示した画像ファイルの所有者コードとしてデジタルカメラ１から送信される。尚、画像ファイルを受信した基地局２の位置からテーマパーク内のどのアトラクションから送信されたものかを自動で判別し、そのアトラクション名も写真のフレームにプリントするようにしてもよい。
【００２６】
以上の写真サービスシステムによれば、ユーザは、カメラを持たずにテーマパーク等の施設に出掛け、その施設内でデジタルカメラ１を借りて写真撮影を行うことができる。そして、撮影した画像を写真にプリントしたい場合には撮影したその場で又は基地局２の近くに行って画像送信の操作を行うだけで、写真プリントの注文を行うことができる。更に、デジタルカメラ１を返却する際等に所定の場所に行けば、プリントされた写真を即座に受け取ることができる。
【００２７】
尚、デジタルカメラ１のレンタル料金や写真プリントの料金等の徴収には様々な方法が考えられるが、例えば、デジタルカメラ１のレンタル料金はデジタルカメラ１を貸し出す際に徴収し、写真プリントの料金は写真をユーザに渡す際にそのプリント枚数に応じた分だけ受け取るようにすることは通常の方法として考えられる。しかしながら、デジタルカメラ１を借りたまま返却しない場合やプリントした写真を受け取りにこない場合の損失を考慮して、デジタルカメラ１を貸し出す際に、予め補償金としてデジタルカメラ１のレンタル料金を多めに徴収し、デジタルカメラ１が返却されたときに実際のレンタル料金との差額分を返却するようにしてもよいし、デジタルカメラ１を貸し出す際に、写真プリントの料金として予めいくらか徴収し、写真を受け取りにきた際に、実際に要した写真プリントの料金と予め徴収している料金との差額分を返却又は徴収するようにしてもよい。
【００２８】
次に、上記写真サービスシステムにおいて使用可能なデジタルカメラ１の構成の一実施の形態を図４のブロック図を用いて説明する。同図に示すようにデジタルカメラ１は、制御部１０、操作部１２、撮像部１４、表示部１６、ＲＡＭ１８、画像転送部２０、ＲＯＭ２２等から構成される。尚、デジタルカメラ１の小型／軽量化、低コスト化等のため、一般のデジタルカメラで使用される記録メディアや大容量の記録手段等は設けられていない。
【００２９】
制御部１０は、操作部１２の後述する各種キーの操作を検出してその操作に基づいて各部の指令を送り各部の処理動作を統括制御する。尚、操作部１２のキー構成及び操作部１２のキー操作に基づく各部処理動作については後述する。
【００３０】
撮像部１４は、ＣＣＤ及び所要の信号処理回路等を含み、撮影レンズ２４によってＣＣＤ受光面に結像された画像を撮像して電気信号に変換し、信号処理回路で所要の処理を施してデジタルの画像データを生成する。撮像部１４は後述のように操作部１２のシャッターキーが半押しされているときには連続的に画像を撮像して表示部１６に転送し、表示部１６のＬＣＤ（後述）にスルー動画を表示させる。一方、シャッターキーが全押しされたときには１フレーム分の画像を撮像し、その画像データをＲＡＭ１８に一時的に記憶させる。尚、本実施の形態ではシャッターキーを全押して撮影した画像を写真プリントしたい場合には次の撮影を行う前にその画像データを基地局２に送信することとし、撮影を行う毎にＲＡＭ１８に記憶した前回撮影分の画像データを消去するようにしているため、ＲＡＭ１８は、１コマ分の画像データを記録するメモリ容量があればよい。
【００３１】
表示部１６は、デジタルカメラ１の背面に配設されたＬＣＤを制御し、そのＬＣＤに撮像部１４で撮像された画像等を表示する。
【００３２】
画像転送部２０は、操作部１２の画像送信キー（後述）がオンされた場合に、撮像部１４で撮像されてＲＡＭ１８に一時的に記憶されている画像データ及び識別コード等の所要のデータからなる画像ファイルを無線により上記基地局２に送信する。
【００３３】
画像ファイルの内容は図２で説明したとおりであり、識別コード（ＩＤ）はＲＯＭ２２に予め記憶されている。画像ファイルの所有者コードとして送信される写真情報（写真のフレーム部分にプリントされるテーマパークの名前、ユーザの名前等）については、上記写真サービスシステムにおいて提供するプリントサービスの内容に応じて幾つかの態様がある。まず、デジタルカメラ１を使用するユーザにかかわらず予め決められた写真情報（テーマパークの名前等）のみを写真のフレーム部分にプリントするサービスを提供する場合には、写真情報は予めＲＯＭ２２に記憶され、所有者コードとしてその写真情報が送信される。但し、写真情報を所有者コードとしてデジタルカメラ１から送信するのではなく、写真情報が送信されなくても上記写真サービスセンタ７で写真情報を自動的にプリントすることも可能である。
【００３４】
次に、上記予め決められた写真情報と共に、ユーザの名前等のユーザに固有の写真情報を写真のフレーム部分にプリントするサービスを提供する場合には、デジタルカメラ１の所定の内部メモリにその固有情報を設定する設定手段を設ける。例えば、パソコン等の外部機器とデジタルカメラ１とをＵＳＢケーブル等の通信ケーブルにより接続可能にし、デジタルカメラ１のユーザへの貸し出しの際等に外部機器からそのユーザに固有の写真情報をデジタルカメラ１の内部メモリに設定できるようにする。或いは、デジタルカメラ１に文字を設定するキーを設け、これによってユーザに固有の写真情報を設定できるようにしてもよい。予め決められた写真情報については上述と同様にＲＯＭ２２に記憶しておくか、写真サービスセンタ７で自動的にプリントするようにしておく。又は、ユーザに固有の写真情報と同様に上記設定手段により外部機器から設定する。そして、所有者コードとしてこれらの写真情報を送信する。但し、ユーザに固有の写真情報についても所有者コードとして送信するのではなく、プリントする写真情報の内容を識別コードに対応させて写真サービスセンタ７に指定しておけば、その識別コードの画像ファイルが写真サービスセンタ７に送信されてきたときに、写真サービスセンタ７が画像ファイルの画像と共にその指定された写真情報を自動で写真にプリントするようにしてもよい。尚、写真情報の内容は、全てユーザが自由に設定できるようにしてもよい。
【００３５】
次に、上記操作部１２のキー構成及び操作部１２のキー操作に基づく各部処理動作について説明する。図５のデジタルカメラ１の背面図に示すようにデジタルカメラ１の上面にはシャッターキー３０が配設され、背面には画像送信キー３２、キャンセル／電源スイッチキー３４、ストロボ設定キー３６が配設され、これらのキー３０〜３６によって上記操作部１２が構成されている。また、デジタルカメラ１の背面には上記表示部１６によって制御されるＬＣＤ３８が配設される。このように本デジタルカメラ１は、操作キーが４個と少ないため、操作が簡単であると共に、小型／軽量化、低コスト化が図られている。
【００３６】
電源がオフのときにキャンセル／電源スイッチキー３４を押すと、電源がオンされる。電源がオンした後、シャッターキー３０を半押しすると、上記制御部１０はこの半押し操作を検出することにより、撮像部１４に対して画像の取り込みを開始させると共に、表示部１６に対してその画像のＬＣＤ３８への表示を開始させる。これにより、シャッターキー３０の半押しによって自動的にＬＣＤ３８の表示が開始され、ＬＣＤ３８にスルー動画が表示される。ユーザは、このスルー動画の表示により撮影画角を決定することができる。
【００３７】
続いて、シャッターキー３０を全押しすると、制御部１０は、撮像部１４に対して１コマ分の画像の取り込みを実行させ、その画像データをＲＡＭ１８に格納させる。また、表示部１６に対してＲＡＭ１８に取り込まれた画像データをＬＣＤ３８に表示させる。これにより、ユーザは撮影した画像をＬＣＤ３８で確認することができる。
【００３８】
一方、シャッターキー３０を半押しした後、全押しせずにシャッターキー３０を離すと、制御部１０は、３秒後に表示部１６のＬＣＤ３８の画像表示を停止させ、省電力制御する。
【００３９】
ユーザは、上述のようにシャッタキー３０を全押ししてＬＣＤ３８に表示された撮影画像を見て、その画像を写真プリントしたいと思った場合には、その撮影画像がＬＣＤ３８に表示されている際に、画像送信キー３２を押す。制御部１０は、画像送信キー３２がオンされたことを検出すると、ＲＡＭ１８に格納されている画像データと、ＲＯＭ２２に記録されている識別コード等により、上記図２に示したような送信用の画像ファイルを作成し、その画像ファイルを画像転送部２０から無線により基地局２に送信する。
【００４０】
一方、写真プリントしない場合には、ユーザはキャンセル／電源スイッチキー３４を押す。これにより、制御部１０は自動的に画像データの送信をキャンセルし、電源をオフにする。尚、シャッターキー３０の全押し後に画像送信キー３２とキャンセル／電源スイッチキー３４のいずれのキーも押されない状態が１分間以上継続した場合には制御部１０は省電力のために自動的に画像データの送信をキャンセルし、電源をオフにする。
【００４１】
ストロボ設定キー３６は、ストロボを強制的に発光させるか、発光させないか、又は自動検出によるかを切り換えるキーであり、制御部１０は、ストロボ設定キー３６が押された回数に基づき、図４では図示しなかったストロボ回路の発光のオン・オフを制御する。
【００４２】
次に上記デジタルカメラ１を用いた写真サービスシステムにおけるユーザの一連の操作を図６のフローチャートを用いて説明する。先ずユーザはテーマパークに入場した際に上記写真サービスセンタ７等において上記デジタルカメラ１を借用する（ステップＳ１）。そして、そのデジタルカメラ１を使用して所望の場所で撮影を行う（ステップＳ２）。撮影は上述のようにシャッターキー３０を全押しすることにより行う。撮影を行うとＬＣＤ３８にその撮影画像が表示されるため、そのＬＣＤ３８の表示により撮影画像を確認し（ステップＳ３）、写真プリントするか否かを決定する（ステップＳ４）。ＹＥＳであれば、デジタルカメラ１の画像送信キー３２を押し、その画像データを、基地局２を介して写真サービスセンタ７の画像処理部３に転送する（ステップＳ５）。一方、ＮＯであればキャンセル／電源スイッチキー３４を押すか、又は、そのまま１分間以上放置して画像データの転送をキャンセルする。
【００４３】
続いて、撮影を継続するか否かを判断し（ステップＳ６）、継続する場合には上記ステップＳ２からの操作を繰り返し実行して撮影を行い、一方、撮影を終了する場合には、デジタルカメラ１を写真サービスセンタ７等の所定の返却所に返却する（ステップＳ７）。そして、ユーザは写真サービスセンタ７でプリントされた写真を受け取り（ステップＳ８）、プリントの枚数に応じた料金を支払う（ステップＳ９）。
【００４４】
次に、写真プリントのサービスを提供する側における処理の流れを図７のフローチャートを用いて説明する。まず、デジタルカメラ１の貸し出しの手続きを行う（ステップＳ１１）。そして、写真サービスセンタ７の画像処理部３は、デジタルカメラ１から基地局２を介して画像ファイルを受信したか否かを判断する（ステップＳ１２）。画像ファイルを受信した場合にはその画像ファイル内の画像データに基づいて写真をプリントし（ステップＳ１３）、画像ファイル内の識別コード（ＩＤ）で写真プリントを振り分ける（ステップＳ１４）。例えば、ＩＤ＝００００００からＩＤ＝９９９９９９まで識別コードがあるとすると、そのＩＤを目安にして（ステップＳ１５乃至ステップＳ１７）、写真プリントを振り分ける（ステップＳ１８乃至ステップＳ２０）。そして各ＩＤのデジタルカメラ１が返却された場合には（ステップＳ２１乃至ステップＳ２３）、そのＩＤの写真プリントの枚数に応じた料金をユーザから受け取る（ステップＳ２４乃至ステップＳ２６）。
【００４５】
以上、上記実施の形態ではテーマパーク等の施設に入場したユーザにデジタルカメラ１を貸し出すようにした場合について説明したが、ユーザが自ら所有しているデジタルカメラが基地局２と通信する機能を備えている場合には、そのデジタルカメラを使用できるようにしてもよい。この場合には、デジタルカメラにサービス提供側が指定した識別コードを登録して、又は、デジタルカメラに登録されている識別コードをサービス提供側に登録して、その識別コードを画像データと共にデジタルカメラから送信させるようにする。例えば、ユーザが所有しているデジタルカメラに識別コードを設定する方法として、図８に示すようにデジタルカメラ５０とパソコン５２とをＵＳＢケーブル等の通信ケーブル５４で接続し、パソコン５２からデジタルカメラ５０に識別コードを設定する方法が容易に可能である。上記所有者コード（写真情報）についても同様にパソコン５２から設定することが可能である。
【００４６】
また、上記実施の形態では、デジタルカメラ１で１コマの画像を撮影する毎に画像を写真サービスセンタ７に送信して写真プリントを注文するようにしていたが、デジタルカメラ１に複数コマの画像を記録する記録手段を持たせ、所望のときに複数コマ分の画像を纏めて写真サービスセンタ７に送信できるようにして、一括して写真プリントを注文できるようにしてもよい。
【図面の簡単な説明】
【００４７】
【図１】図１は、本発明に係るデジタルカメラ及び識別コードの設定方法が適用される写真サービスシステムの構成を示したブロック図である。
【図２】図２は、画像ファイルの構成の一実施の形態を示した図である。
【図３】図３は、本写真サービスシステムで提供する写真のプリント例を示した図である。
【図４】図４は、デジタルカメラの内部構成を示したブロック図である。
【図５】図５は、デジタルカメラの背面図である。
【図６】図６は、写真サービスシステムにおけるユーザの一連の操作を示したフローチャートである。
【図７】図７は、写真プリントのサービスを提供する側における処理の流れを示したフローチャートである。
【図８】図８は、デジタルカメラに識別コードを設定する設定方法の一例を示した説明図である。
【符号の説明】
【００４８】
１…デジタルカメラ、２…基地局、３…画像処理部、７…写真サービスセンタ、１０…制御部、１２…操作部、１４…撮像部、１６…表示部、１８…ＲＡＭ、２０…画像転送部、２２…ＲＯＭ、３０…シャッターキー、３２…画像送信キー、３４…キャンセル／電源スイッチキー、３６…ストロボ設定キー、３８…ＬＣＤ
【図１】
2006295952.tif 000003
【図２】
2006295952.tif 000004
【図３】
2006295952.tif 000005
【図４】
2006295952.tif 000006
【図５】
2006295952.tif 000007
【図６】
2006295952.tif 000008
【図７】
2006295952.tif 000009
【図８】
2006295952.tif 000010